(57)【要約】      （修正有）【課題】クッションの汚染および感染性の病原体の蔓延を減少および／または除外する、種類のフォームクッションカバーを提供する。【解決手段】クッションカバー１０は、少なくとも１つのシートを備える第１チャンバ１５を含み、第１チャンバは、エアポケットを備えるクッションを収容するように構成される。第２チャンバ２０は第１チャンバにシールされ、閉鎖後端、閉鎖上端、閉鎖下端、一対の閉鎖側部および前部開放端を含む。少なくとも１つの孔を備えるパネルは、第１チャンバにシールされ第２チャンバの開放端に面する。ハンドル６０は、一対の側部パネル６５ａに隣接する長手方向のストラップを含んで設けられ、一対の側部パネルは第１チャンバにシールされ、第１チャンバに力が加わると、クッションのエアポケットに含まれる空気は、パネルの少なくとも１つの孔を通って第２チャンバを出ることなく第２チャンバ内へと流れる。【選択図】図１
2019063165.tif 000002
【特許請求の範囲】
【請求項１】
少なくとも１つのシートを備え、エアポケットを含むクッションを収容するように構成された第１チャンバと、
前記第１チャンバにシールされ、閉鎖後端、閉鎖上端、閉鎖下端、一対の閉鎖側部および前部開放端を備えた第２チャンバと、
少なくとも１つの孔を備え、前記第１チャンバにシールされ前記第２チャンバの開放端に面するパネルと、
一対の側部パネルにつながる長手方向のストラップを備えるハンドルと
を備え、
前記一対の側部パネルは、前記第１チャンバにシールされ、
前記第１チャンバに力が加わると、前記クッションの前記エアポケット内に含まれる空気が、前記パネルの前記少なくとも１つの孔を通って、前記第２チャンバから出ることなく前記第２チャンバ内へと流れる、クッションカバー。
【請求項２】
前記第１チャンバから前記力が除去されると、前記第２チャンバ内に含まれる前記空気が前記パネルの前記少なくとも１つの孔を通って前記クッションの前記エアポケット内へと流れる、請求項１記載のカバー。
【請求項３】
前記第１チャンバ、前記第２チャンバ、前記パネル、および前記ハンドルの前記一対の側部パネルに沿う複数の縁部をさらに備え、前記複数の縁部は高周波（ＨＦ）溶着によって互いに接合される、請求項１記載のカバー。
【請求項４】
前記第２チャンバの開放端が、前記第２チャンバの前記閉鎖上端、前記閉鎖下端、および前記一対の閉鎖側部の幅によって画定される厚さを備える、請求項３記載のカバー。
【請求項５】
前記厚さが、前記複数の縁部を開放することなく前記クッションから放出された空気を保持するように充分に構成される、請求項４記載のカバー。
【請求項６】
前記第１チャンバ、前記第２チャンバ、前記パネルおよび前記ハンドルがそれぞれ、高周波（ＨＦ）溶着可能なエラストマー材料を含む、請求項１記載のカバー。
【請求項７】
前記クッションが、楔形、長方形、正方形および半円筒形のいずれかである、請求項１記載のカバー。
【請求項８】
前記少なくとも１つのシートが開口を有していない、請求項１記載のカバー。
【請求項９】
前記第１チャンバ、前記第２チャンバ、前記パネルおよび前記ハンドルがそれぞれ半透明材料を含む、請求項１記載のカバー。
【請求項１０】
前記第２チャンバが、正方形、長方形、楔形および円形のいずれかである、請求項１記載のカバー。
【請求項１１】
エアポケットを備えるクッションを完全に収容するように構成される第１チャンバと、
前記第１チャンバにシールされ、少なくとも１つの孔を備えたパネルと、
前記パネルおよび前記第１チャンバのいずれかにシールされ、折り畳み式のリザーバを備えた第２チャンバと
を備え、
前記第１チャンバに力が加わると、前記クッションの前記エアポケット内に含まれる空気が、前記パネルの前記少なくとも１つの孔を通って前記第２チャンバから出ることなく前記第２チャンバの前記リザーバ内へと流れる、クッションカバー。
【請求項１２】
前記第１チャンバから前記力が除去されると、前記第２チャンバの前記リザーバに含まれる前記空気が、前記パネルの前記少なくとも１つの孔を通って前記クッションの前記エアポケット内へと流れる、請求項１１記載のカバー。
【請求項１３】
前記第１チャンバ、前記第２チャンバ、および前記パネルに沿う複数の縁部をさらに備え、前記複数の縁部は高周波（ＨＦ）溶着によって互いに接合される、請求項１１記載のカバー。
【請求項１４】
一対の側部パネルにつながる長手方向のストラップを備えるハンドルをさらに備え、前記一対の側部パネルは前記第１チャンバにシールされる、請求項１１記載のカバー。
【請求項１５】
前記リザーバが、前記第２チャンバを開放することなく前記クッションから放出された空気を保持するように充分に構成される、請求項１１記載のカバー。
【請求項１６】
前記第１チャンバ、前記第２チャンバおよび前記パネルがそれぞれ高周波（ＨＦ）溶着可能なエラストマー材料を含む、請求項１１記載のカバー。
【請求項１７】
前記クッションが、楔形、長方形、正方形および半円筒形のいずれかである、請求項１１記載のカバー。
【請求項１８】
前記第１チャンバが開口を有していない、請求項１１記載のカバー。
【請求項１９】
前記第１チャンバ、前記第２チャンバおよび前記パネルがそれぞれ半透明材料を含む、請求項１１記載のカバー。
【請求項２０】
前記第２チャンバが、正方形、長方形、楔形および円形のいずれかである、請求項１１記載のカバー。
【発明の詳細な説明】
【技術分野】
【０００１】
本明細書の実施形態は、概して医療機器に関し、より詳細にはフォームクッションカバーに関する。
【背景技術】
【０００２】
動けない患者を医療の場に適切に配置することは非常に重要な課題である。患者は適切な回転角度で位置付けられる必要があり、患者を支持するのを補助するために用いられる任意の装置は、医療従事者によって指示される時間のあいだ定位置に留まらなければならない。患者を起き上がった横臥位で支持するために用いられる用具としてはポリウレタンフォームウェッジクッションが挙げられる。フォームウェッジは、様々な寸法、密度および色のものが市販されている。フォームウェッジは、裸の状態でもカバーを備えても市販されており、カバーは、クッションを清潔にして患者間で再利用することを容易にすることを意図している。現在市販されているカバーのデザインは、カバー内のフォームウェッジにいくらかの保護をもたらしているが、クッションを流体および空気の汚染との接触からシールできる程度には限界がある。
【０００３】
カバーのパネルを互いに接合する最も一般的な方法は裁縫である。裁縫は堅牢で非常に費用効率が高いが、縫い目は生地に小さな孔を生み出し、接合されている二枚の生地の間に非常に小さな隙間を残す。流体および空気はこれらの非常に小さな空間を通過することができ、透過を検査することは困難であるのでケア環境においてはほとんど行われていない。カバーを形成するために生地パネルを互いに接合する別の方法は、超音波または無線周波（ＲＦ）溶着である。この方法は、生地を互いに接合するために特殊な接着剤および高周波（ＨＦ）エネルギーを利用し、縫い合わされた継ぎ目に見られるような小さな空間を残さないことから好ましい方法である。
【０００４】
製造業者が、フォームクッションカバーの継ぎ目を接合するために裁縫法およびＨＦ溶着のいずれを用いることを選択しても、フォームは空気を置換する能力を維持しなければならない。ポリウレタンフォームは、空気によって支持し、また空気を置換することによってクッションとしての機能を果たす連続気泡構造である。継ぎ目を縫い合わされたクッションカバーは、継ぎ目の小さな空間を通して空気の置換を可能にする。縫い合わされたカバーおよびＨＦ溶着されたカバーの両方が、ジッパーの歯の間およびジッパーの一端の空間を通る空気流を可能にするジッパーエンクロージャをしばしば利用する。カバーが完全に縫い合わされるか溶着される場合、空気がクッションを出入りできるようにメッシュまたは金属のベントが用いられなければならない。縫い合わされた継ぎ目、ジッパーエンクロージャおよびベントは全て、空気および流体由来の病原菌がフォームクッション内に入るという同一の可能性を呈する。クッションが汚染されると、健康管理環境において使用者同士での感染を広げる高いリスクがある。したがって、クッションの汚染のリスクおよび感染性の病原体の蔓延を減少および／または除外する、新たな種類のフォームクッションカバーに対する需要がある。
【発明の概要】
【０００５】
上記に照らして、本明細書の実施形態は、エアポケットを備えるクッションを収容するように構成される、少なくとも１つのシートを備える第１チャンバと、閉鎖後端、閉鎖上端、閉鎖下端、一対の閉鎖側部および前部開放端を備える、第１チャンバにシールされる第２チャンバと、少なくとも１つの孔を備える、第１チャンバにシールされ第２チャンバの開放端に面するパネルと、第１チャンバにシールされる一対の側部パネルにつながる長手方向のストラップを備えるハンドルとを備えるクッションカバーを提供し、第１チャンバに力が加わると、クッションのエアポケットに含まれる空気は、パネルの少なくとも１つの孔を通って、第２チャンバを出ることなく第２チャンバ内へと流れる。
【０００６】
第１チャンバから力が除去されると、第２チャンバ内に含まれる空気は、パネルの少なくとも１つの孔を通ってクッションのエアポケット内へと流れてもよい。カバーはさらに、第１チャンバ、第２チャンバ、パネル、およびハンドルの一対の側部パネルに沿う複数の縁部を備えてもよく、複数の縁部は高周波（ＨＦ）溶着によって互いに接合されてもよい。第２チャンバの開放端は、第２チャンバの閉鎖上端、閉鎖下端、および一対の閉鎖側部の幅によって画定される厚さを備えてもよい。この厚さは、複数の縁部を開放することなくクッションから放出された空気を保持するように充分に構成されてもよい。第１チャンバ、第２チャンバ、パネルおよびハンドルはそれぞれ、ＨＦ溶着可能なエラストマー材料を含んでいてもよい。クッションは、楔形、長方形、正方形および半円筒形のいずれであってもよい。少なくとも１つのシートは、開口を有していなくてもよい。第１チャンバ、第２チャンバ、パネルおよびハンドルはそれぞれ、半透明材料を含んでいてもよい。第２チャンバは、正方形、長方形、楔形および円形のいずれであってもよい。
【０００７】
別の実施形態は、エアポケットを備えるクッションを完全に収容するように構成される第１チャンバと、少なくとも１つの孔を備える、第１チャンバにシールされるパネルと、折り畳み式のリザーバを備える、パネルおよび第１チャンバのいずれかにシールされる第２チャンバとを備えるクッションカバーを提供し、第１チャンバに力が加わると、クッションのエアポケットに含まれる空気は、パネルの少なくとも１つの孔を通って、第２チャンバを出ることなく第２チャンバのリザーバ内へと流れる。
【０００８】
第１チャンバから力が除去されると、第２チャンバのリザーバに含まれる空気は、パネルの少なくとも１つの孔を通ってクッションのエアポケット内へと流れてもよい。カバーはさらに、第１チャンバ、第２チャンバ、およびパネルに沿う複数の縁部を備えてもよく、複数の縁部はＨＦ溶着によって互いに接合されてもよい。カバーはさらに、一対の側部パネルに隣接する長手方向のストラップを備えるハンドルを備えてもよく、一対の側部パネルは第１チャンバにシールされてもよい。リザーバは、第２チャンバを開放することなくクッションから放出された空気を保持するように充分に構成されてもよい。第１チャンバ、第２チャンバおよびパネルはそれぞれ、ＨＦ溶着可能なエラストマー材料を含んでいてもよい。クッションは、楔形、長方形、正方形および半円筒形のいずれであってもよい。第１チャンバは、開口を有していなくてもよい。第１チャンバ、第２チャンバおよびパネルはそれぞれ、半透明材料を含んでいてもよい。第２チャンバは、正方形、長方形、楔形および円形のいずれであってもよい。
【０００９】
本明細書の実施形態のこれらの態様および他の態様は、以下の記載および添付の図面と併せて考慮されるとより認識および理解されるだろう。しかしながら、以下の記載は、好ましい実施形態およびその多数の具体的な詳細を示しているものの、例示目的で示されており限定を目的としては示されていないことが理解されるべきである。本明細書の実施形態の範囲内で、その趣旨を逸脱することなく多くの変更および修正がなされてもよく、本明細書の実施形態はそのような修正も全て含む。
【００１０】
本明細書の実施形態は、図面を参照する以下の詳細な説明からよりよく理解されるだろう。
【図面の簡単な説明】
【００１１】
【図１】本明細書の実施形態によるクッションカバーの斜視図である。
【図２】本明細書の実施形態による図１のクッションカバーの第１チャンバの斜視図である。
【図３】本明細書の実施形態によるクッションカバーの、一体の側部パネルを備えるハンドルの斜視図である。
【図４】本明細書の実施形態によるフォームクッションの斜視図である。
【図５】本明細書の実施形態による図１のクッションカバーの第２チャンバに沿った、第１チャンバのパネルの斜視図である。
【図６Ａ】本明細書の実施形態による第２チャンバの、高い角度から見た正面斜視図である。
【図６Ｂ】本明細書の実施形態による第２チャンバの、低い角度から見た正面斜視図である。
【図６Ｃ】本明細書の別の実施形態による第２チャンバの正面斜視図である。
【図７】本明細書の別の実施形態によるクッションカバーの斜視図である。
【図８Ａ】本明細書の別の実施形態によるクッションの空気置換システムの斜視図である。
【図８Ｂ】本明細書の実施形態による図８Ａのクッションの空気置換システムの、空の空気置換チャンバの斜視図である。
【図８Ｃ】本明細書の一実施形態による、空気で膨らんだ図８Ｂの空気置換チャンバの斜視図である。
【図９】本明細書のさらに別の実施形態によるクッションカバーの斜視図である。
【図１０Ａ】本明細書のさらに別の実施形態によるクッションの空気置換システムの斜視図である。
【図１０Ｂ】本明細書の一実施形態による図１０Ａのクッションの空気置換システムの上面図である。
【図１１】本明細書のさらに別の実施形態によるクッションの空気置換システムの斜視図である。
【図１２】本明細書のさらに別の実施形態によるクッションカバーの斜視図である。
【図１３】本明細書のさらに別の実施形態によるクッションカバーの斜視図である。
【発明を実施するための形態】
【００１２】
本明細書の実施形態およびその多様な特徴および有利な詳細は、添付の図面に示され以下の記載において詳述される非限定的な実施形態を参照してより完全に説明される。周知の構成要素および処理技術の説明は、本明細書の実施形態を不必要に曖昧にしないために省略される。本明細書で用いられる例は、単に、本明細書の実施形態が実施され得る方法の理解を容易にすること、および当業者が本明細書の実施形態を実施することをさらに可能にすることを意図される。したがって、これらの例は本明細書の実施形態の範囲を限定するものとして解釈されるべきではない。
【００１３】
上述のように、クッションの汚染のリスクおよび感染性の病原体の蔓延を減少および／または除外する、新たな種類のフォームクッションカバーに対する需要がある。本明細書の実施形態は、フォームクッションを封入する完全にシールおよび閉鎖されたカバーを提供する。図面、より詳細には、同様の参照符号が全図面にわたって一貫して対応する特徴部を示す図１〜図１３を参照すると、好ましい実施形態が示されている。
【００１４】
図１は、本明細書の実施形態によるクッションカバー１０の斜視図を示す。クッションカバー１０は、２つのチャンバ１５、２０を備える。第１チャンバ１５は、ＨＦ溶着された継ぎ目３０によりクッション２５（図４）を保持するような寸法および構成にされる。カバー１０を構成するためには、様々なＨＦ溶着可能なエラストマー材料が用いられ得る。たとえば、ＨＦ溶着可能なエラストマー材料としては、ポリ塩化ビニル（ＰＶＣ）およびポリウレタンが挙げられるが、これらに限定されない。ハンドル６０は、一対の側部パネル６５ａ、６５ｂを用いて２つのチャンバ１５、２０に結合するように構成される（完全には図３に示す）。
【００１５】
図２は、図１に関連して、本明細書の実施形態による図１のクッションカバー１０の第１チャンバ１５の斜視図を示す。第１チャンバ１５は、少し湾曲した構造で構成される背部（spine）１８によって接続される一対のシート１６、１７を備える。第１のシート１６は第１の側縁部１９ａ、第２の側縁部１９ｂおよび外縁部２２を含む。第２のシート１７は第１の側縁部２１ａ、第２の側縁部２１ｂおよび外縁部２３を含む。背部１８は、外縁部２２、２３とは反対側に配置される。一実施形態において、第１のシート１６、第２のシート１７および背部１８は、単一の折り畳まれた生地のシートとして構成されてもよい。
【００１６】
図３は、図１および２に関連して、本明細書の実施形態によるクッションカバー１０のハンドル６０の斜視図を示す。ハンドル６０は、一対の側部パネル６５ａ、６５ｂを接続する長手方向のストラップ７０を備える。ハンドル６０は、カバー１０を好都合に把持する機構を容易にするだけではなく、一対の側部６５ａ、６５ｂが第１チャンバ１５の側部にＨＦ溶着されるように、一対の側部６５ａ、６５ｂによってカバー１０の側部を密閉するための構造も提供する。
【００１７】
側部パネル６５ａは、第１チャンバ１５の背部１８の曲線に合致するような寸法および構成にされる尖端部６６ａを含む。側部パネル６５ａはさらに、傾斜した上縁部６７ａおよび反対側に配置される略直線の下縁部６８ａを含む。側部パネル６５ａはさらに、尖端部６６ａの反対側に配置される後端６９ａを含む。後端６９ａは、側部パネル６５ａ全体の形状が三角形／楔形であるように、尖端部６６ａよりも高さが高い。後端６９ａはさらに、長手方向のストラップ７０の第１の側部７３ａによって分離される、上側後縁部７１ａおよび下側後縁部７２ａを含む。長手方向のストラップ７０の第１の隅７４ａにより、第１の側部７３ａは、長手方向のストラップ７０に対して略直角に配置され得る。
【００１８】
側部パネル６５ｂは、第１チャンバ１５の背部１８の曲線に合致するような寸法および構成にされる尖端部６６ｂを含む。側部パネル６５ｂはさらに、傾斜した上縁部６７ｂおよび反対側に配置される略直線の下縁部６８ｂを含む。側部パネル６５ｂはさらに、尖端部６６ｂの反対側に配置される後端６９ｂを含む。後端６９ｂは、側部パネル６５ｂ全体の形状が三角形／楔形であるように、尖端部６６ｂよりも高さが高い。後端６９ｂはさらに、長手方向のストラップ７０の第２の側部７３ｂによって分離される、上側後縁部７１ｂおよび下側後縁部７２ｂを含む。長手方向のストラップ７０の第２の隅７４ｂにより、第１の側部７３ｂは、長手方向のストラップ７０に対して略直角に配置され得る。一実施形態において、長手方向のストラップ７０は、テーパリングによって側部パネル６５ａ、６５ｂ内に一体化されてもよく、これはこの構成において縁部７１ａ、７１ｂ、７２ａ、７２ｂを取り除く。
【００１９】
図４は、図１〜図３に関連して、本明細書の実施形態によるフォームクッション２５の斜視図を示す。フォームクッション２５は尖端部１１を備え、尖端部１１は、フォームクッション２５が第１チャンバ１５内に挿入されると背部１８にぴったりと合うように、第１チャンバ１５の背部１８の曲線に合致するような寸法および構成にされる。フォームクッション２５はさらに、側部３３ａ、３３ｂの全体の形状が三角形／楔形であるように、傾斜した上部３１、一対の側部３３ａ、３３ｂおよび後部３４を含む。後部３４は、フォームクッション２５の全体の形状が三角形／楔形であるように、尖端部１１の反対側に配置される。フォームクッション２５はさらに、複数のエアポケット３２を備える。一実施形態によれば、フォームクッション２５にエラストマーライナーが利用されてもよい。エラストマーライナーは、時間と共に生じるおそれのある微量レベルの水蒸気透過からフォームクッション２５を保護するために用いられ得る。
【００２０】
図５は、図１〜図４に関連して、本明細書の実施形態による、第２チャンバと併せて、第１チャンバ１５のパネル３５の斜視図を示す。第１チャンバ１５のパネル３５は、両方向（図５の曲線矢印により示す）への空気通路を可能にする少なくとも１つの孔４０を備える。パネル３５は、第１チャンバ１５の一対のシート１６、１７の外縁部２２、２３に取り付けるように構成される。一実施形態において、第１のシート１６、第２のシート１７、背部１８およびパネル３５は、これらを接続してシースにする、１つの継ぎ目を備えた一片の生地から作製されてもよく、クッション２５はその中へと挿入され得る。
【００２１】
図５に示したように、図６Ａおよび図６Ｂは、図１〜図４に関連して、本明細書の実施形態による第２チャンバ２０をさらに示し、第２チャンバ２０は、閉鎖後端２６、閉鎖上端２４、閉鎖下端３７、一対の閉鎖側部２７ａ、２７ｂおよび開放前端３６を備える。概して、第２チャンバ２０は開放した箱の構成で構成される。閉鎖後端２６は、開放前端３６側に晒される前面５０を有する。第２チャンバ２０は、第１前方側縁部２８ａおよび第２前方側縁部２８ｂと併せて、前方上縁部２９ａおよび前方下縁部２９ｂを備える。
【００２２】
第２チャンバ２０は、ＨＦ溶着された継ぎ目３０によって結合されるＨＦ溶着可能なエラストマー材料によっても構成される。パネル３５が縁部２８ａ、２８ｂ、２９ａ、２９ｂで第２チャンバ２０に溶着され、それによりパネル３５、側部２７ａ、２７ｂ、上部２４、底部３７および後端２６の間の空間によって画定されるエアリザーバ５５を作り出すように、第２チャンバ２０は、空気換気孔４０を有する第１チャンバ２０のパネル３５に溶着される（図６Ａおよび６Ｂは、破線円のリザーバ５５を示すが、リザーバ５５は、第２チャンバ２０により画定される内箱領域全体を含む）。製造中、第２チャンバ２０がパネル３５上に溶着されると、第２チャンバ２０は空気を保持しないように平らにされる。パネル３５がクッション２５を収容する第１チャンバ１５上に溶着された後、リザーバ５５は、第１チャンバ１５に力が印加されると、第１チャンバ１５内部のフォームクッション２５からの空気の置換のための空間を提供する。図６Ｃに示すように、１つまたは複数の折り目８０がパネル２４、３７、２７ａ、２７ｂ内に構成されてもよく、これらはフォームクッション２５が圧縮されていないときに第２チャンバ２０が平らなままであることを補助する。
【００２３】
クッション２５によって支持される身体の一部からの荷重がフォームクッション２５を圧縮すると、空気はリザーバ５５内へと置換され、荷重が取り除かれるまでそこで保持される。荷重が取り除かれると、フォームクッション２５の連続気泡構造によって負圧が生成され、空気は置換リザーバ５５からフォームクッション２５内へ戻るように引き込まれる。両方のチャンバ１５、２０を含むカバー１０全体がＨＦ溶着によってシールされるので、取り囲む周囲環境の流体または空気と接触する可能性がない。
【００２４】
この閉鎖システムのカバー１０は、クッション２５のより効率的な洗浄を可能にする。継ぎ目、ジッパーエンクロージャ、またはベントを通した透過のリスクなしに、クッション２５全体が流体の洗浄液に浸漬され得る。流体中への完全な浸漬は、クッション２５内部からの気泡の発生によって、カバー１０が何らかの形で損傷または欠陥を有しているかどうかを判定する効果的な手段でもある。
【００２５】
本明細書の実施形態によって提供される種類のクッション２５は、発泡体の患者位置決め楔状部を備えるが、カバー１０の構成は、支持の手段としてポリウレタンフォームを利用するあらゆる種類のクッションに用いられ得る。図７〜図１３は、図１〜図６Ｃに関連して、本明細書の様々な実施形態による、他の種類のクッションならびに空気置換チャンバおよびシステムの種類の例を示す。これらの実施形態において、空気置換チャンバは、クッションから離れるように外部へ延びる外側に配置されるチャンバであり、特に、正方形、長方形、管状、円／ボタン状、楔形に構成されてもよい。他のクッションの例としては、特に、マットレス、車いす用クッション、脚上げクッション、アーム支持部および枕が挙げられる。
【００２６】
図７は、カバー１１０に接続される、外部に構成される略長方形の空気置換チャンバ１２０を示し、空気置換チャンバ１２０は、空気を置換チャンバ１２０内へと通過させるための孔１４０を備える。孔１４０は、それらのカバー１１０／置換チャンバ１２０のインターフェースでの配置を示すために、図７に破線／細線で示されている。換言すれば、孔１４０は、空気を置換チャンバ１２０外部へと通過させるようには構成されていない。図８Ａは、車いすのクッションカバー２１０の上に座る使用者１００を示す。空気置換チャンバ２２０は、チューブ２２５によってカバー２１０に接続される遠隔の置換チャンバとして構成される。図８Ｂは、図８Ａに関連して、空のチャンバ２２０を示す。図８Ｃは、図８Ａおよび８Ｂに関連して、空気を充填されたチャンバ２２０を示す（図８Ｃの矢印はチャンバ２２０を満たすための空気の流れを表す）。図９は、外部の空気置換チャンバ３２０を備える略半筒状のクッションカバー３１０を示す。クッションカバー３１０は、使用者３００によってひざのホルスターとして用いられてもよい。図１０Ａは、クッションカバー４１０に接続される、略円形の空気膨張チャンバ４２０を示す。図１０Ａにおいて、空気はチャンバ４２０を満たし、それによりカバー４１０から外側に突出するバンプを形成する。図１０Ｂは、図１０Ａに関連して、略円形の空気膨張チャンバ４２０の上面図を示す。図１１は、クッションカバー５１０に接続される略楔形の空気膨張チャンバ５２０を示し、空気置換チャンバ５２０は、空気を置換チャンバ５２０内部へと通過させるための孔５４０を備える。孔５４０は、それらのカバー５１０／置換チャンバ５２０のインターフェースでの配置を示すために、破線／細線で示されている。換言すれば、孔５４０は、空気を置換チャンバ５２０外部には通過させるように構成されていない。図１２は、外部の空気置換チャンバ６２０を備える略正方形または長方形のクッションカバー６１０を示す。クッションカバー６１０は、使用者６００によって脚上げクッションとして用いられてもよい。図１３は、外部の空気置換チャンバ７２０を備えた略Ｕ字型のクッションカバー７１０を示す。クッションカバー７１０は、参照によりその全体が本明細書に組み込まれる米国特許第６，６３４，０４５号明細書に記載の方法で、使用者７００によって使用され得る。
【００２７】
上記の特定の実施形態の記載は、本明細書の実施形態の一般的な性質を非常に完全に明らかにするので、本発明者でなくても、現在の知識を適用することによって、全体的な概念から逸脱することなくこのような特定の実施形態を様々な用途のために容易に修正および／または構成でき、それゆえ、このような構成および修正は、開示される実施形態と同等の意味および範囲内で理解されるべきであり、理解されることを意図されている。本明細書で用いられる表現または用語は、説明を目的としており限定を目的とするものではないと理解されるべきである。それゆえ、本明細書の実施形態は好ましい実施形態の観点から記載されているが、当業者は、本明細書の実施形態は添付の請求項の趣旨および範囲内での修正を伴って実施できるということを認識するだろう。
【図１】
2019063165.tif 000003
【図２】
2019063165.tif 000004
【図３】
2019063165.tif 000005
【図４】
2019063165.tif 000006
【図５】
2019063165.tif 000007
【図６Ａ】
2019063165.tif 000008
【図６Ｂ】
2019063165.tif 000009
【図６Ｃ】
2019063165.tif 000010
【図７】
2019063165.tif 000011
【図８Ａ】
2019063165.tif 000012
【図８Ｂ】
2019063165.tif 000013
【図８Ｃ】
2019063165.tif 000014
【図９】
2019063165.tif 000015
【図１０Ａ】
2019063165.tif 000016
【図１０Ｂ】
2019063165.tif 000017
【図１１】
2019063165.tif 000018
【図１２】
2019063165.tif 000019
【図１３】
2019063165.tif 000020
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
少なくとも１つのシートを備え、エアポケットを含むクッションを収容するように構成された第１チャンバと、
前記第１チャンバにシールされ、閉鎖後端、閉鎖上端、閉鎖下端、一対の閉鎖側部および前部開放端を備えた第２チャンバと、
少なくとも１つの孔を備え、前記第１チャンバにシールされ前記第２チャンバの開放端に面するパネルと、
一対の側部パネルにつながる長手方向のストラップを備えるハンドルと
を備え、
前記一対の側部パネルは、前記第１チャンバにシールされ、
前記第１チャンバに力が加わると、前記クッションの前記エアポケット内に含まれる空気が、前記パネルの前記少なくとも１つの孔を通って、前記第２チャンバから出ることなく前記第２チャンバ内へと流れ、
前記第１チャンバから前記力が除去されると、前記第２チャンバ内に含まれる前記空気が前記パネルの前記少なくとも１つの孔を通って前記クッションの前記エアポケット内へと流れる、クッションカバー。
【請求項２】
前記第１チャンバ、前記第２チャンバ、前記パネル、および前記ハンドルの前記一対の側部パネルに沿う複数の縁部をさらに備え、前記複数の縁部は高周波（ＨＦ）溶着によって互いに接合される、請求項１記載のカバー。
【請求項３】
前記第２チャンバの開放端が、前記第２チャンバの前記閉鎖上端、前記閉鎖下端、および前記一対の閉鎖側部の幅によって画定される厚さを備える、請求項２記載のカバー。
【請求項４】
前記厚さが、前記複数の縁部を開放することなく前記クッションから放出された空気を保持するように充分に構成される、請求項３記載のカバー。
【請求項５】
前記第１チャンバ、前記第２チャンバ、前記パネルおよび前記ハンドルがそれぞれ、高周波（ＨＦ）溶着可能なエラストマー材料を含む、請求項１記載のカバー。
【請求項６】
前記クッションが、楔形、長方形、正方形および半円筒形のいずれかである、請求項１記載のカバー。
【請求項７】
前記少なくとも１つのシートが開口を有していない、請求項１記載のカバー。
【請求項８】
前記第１チャンバ、前記第２チャンバ、前記パネルおよび前記ハンドルがそれぞれ半透明材料を含む、請求項１記載のカバー。
【請求項９】
前記第２チャンバが、正方形、長方形、楔形および円形のいずれかである、請求項１記載のカバー。
【請求項１０】
エアポケットを備えるクッションを完全に収容するように構成される第１チャンバと、
前記第１チャンバにシールされ、少なくとも１つの孔を備えたパネルと、
前記パネルおよび前記第１チャンバのいずれかにシールされ、折り畳み式のリザーバを備えた第２チャンバと
を備え、
前記第１チャンバに力が加わると、前記クッションの前記エアポケット内に含まれる空気が、前記パネルの前記少なくとも１つの孔を通って前記第２チャンバから出ることなく前記第２チャンバの前記リザーバ内へと流れ、
前記第１チャンバから前記力が除去されると、前記第２チャンバの前記リザーバに含まれる前記空気が、前記パネルの前記少なくとも１つの孔を通って前記クッションの前記エアポケット内へと流れる、クッションカバー。
【請求項１１】
前記第１チャンバ、前記第２チャンバ、および前記パネルに沿う複数の縁部をさらに備え、前記複数の縁部は高周波（ＨＦ）溶着によって互いに接合される、請求項１０記載のカバー。
【請求項１２】
一対の側部パネルにつながる長手方向のストラップを備えるハンドルをさらに備え、前記一対の側部パネルは前記第１チャンバにシールされる、請求項１０記載のカバー。
【請求項１３】
前記リザーバが、前記第２チャンバを開放することなく前記クッションから放出された空気を保持するように充分に構成される、請求項１０記載のカバー。
【請求項１４】
前記第１チャンバ、前記第２チャンバおよび前記パネルがそれぞれ高周波（ＨＦ）溶着可能なエラストマー材料を含む、請求項１０記載のカバー。
【請求項１５】
前記クッションが、楔形、長方形、正方形および半円筒形のいずれかである、請求項１０記載のカバー。
【請求項１６】
前記第１チャンバが開口を有していない、請求項１０記載のカバー。
【請求項１７】
前記第１チャンバ、前記第２チャンバおよび前記パネルがそれぞれ半透明材料を含む、請求項１０記載のカバー。
【請求項１８】
前記第２チャンバが、正方形、長方形、楔形および円形のいずれかである、請求項１０記載のカバー。
【請求項１９】
エアポケットを備えるクッションを完全に収容するように構成され、開口を有していない第１チャンバと、
前記第１チャンバにシールされ、少なくとも１つの孔を備えたパネルと、
前記パネルおよび前記第１チャンバのいずれかにシールされ、折り畳み式のリザーバを備えた第２チャンバと
を備え、
前記第１チャンバに力が加わると、前記クッションの前記エアポケット内に含まれる空気が、前記パネルの前記少なくとも１つの孔を通って前記第２チャンバから出ることなく前記第２チャンバの前記リザーバ内へと流れる、クッションカバー。
【請求項２０】
前記第１チャンバから前記力が除去されると、前記第２チャンバの前記リザーバに含まれる前記空気が、前記パネルの前記少なくとも１つの孔を通って前記クッションの前記エアポケット内へと流れる、請求項１９に記載のカバー。
【外国語明細書】
2019063165000001.pdf
2019063165000002.pdf
2019063165000003.pdf
2019063165000004.pdf